(57)【要約】【課題】  包装容器を使用後に自然の土に戻すことができ、環境保全に貢献できる、更に、栽培容器として再利用もでき、保水性に優れ、かつ、衛生面も良く、家庭の室内で安易に野菜の栽培を楽しめることができ、大気中の炭素削減効果も期待できる包装容器の提供。【解決手段】  自然界で分解する合成樹脂にて成形され、内部に商品１９を収容する中空部１０を有し、底板部４に栽培植物の力で下方に開口する水抜穴６を有する包装容器本体１と、その低空部１１に施蓋するための同じく自然界で分解する合成樹脂にて成形された蓋体２とを有し、蓋体２に栽培植物の力で上方に開口する生育穴８と、栽培植物に水を供給する切抜き注水穴９を有し、蓋体２の内部に野菜の種子１３と発芽地１４とを備え、発芽地１４の原料として、商品１９に、または水抜穴６の外側に衛生的な害が及ばぬよう、種子１３への保水効果が得られるよう、植物繊維１７と植物の葉１８を混合して形成する。【選択図】  図１
2011019445.tif 000002
【特許請求の範囲】
【請求項１】
環境保全のため、自然界で分解する合成樹脂にて成形され、内部に商品収容用の中空部を有し、野菜の生育のため、底板部に栽培植物が成長し自然に根を張っていく力で押して下方に撓んで開口する、片を備えた水抜穴を有する栽培の機能を備えてなる包装用容器。
【請求項２】
前記包装容器において、包装容器本体内部の低空部に同材の施蓋される蓋体を有し、野菜の生育のため、該蓋体は栽培植物が成長し自然に芽が伸長する力で押して上方に撓んで開口する、片を備えた生育穴と、容器本体内部に注いだ水を栽培植物の発芽地に供給させるようにした切抜き注水穴を有した請求項１に記載の包装用容器。
【請求項３】
前記包装容器において、野菜の生育のため、容器本体低空部の蓋体の内部に、野菜の種子と発芽地とを備え、発芽地の原料として、本体の中空部に収容する商品に対し、または底板部の水抜穴から容器本体の外側に対し衛生的な害が及ばぬよう、かつ、種子への保水効果が得られるよう、また、自然界で分解するよう、植物繊維と植物の葉を混合し形成された発芽地を備えた請求項１若しくは２に記載の包装用容器。
【発明の詳細な説明】
【技術分野】
【０００１】
本発明は、通常は商品の収容用として使用している包装容器を、使用後において、家庭内の場所で、衛生的に、安易に野菜の栽培に再利用でき、また、安易に土壌に定植でき、自然の土に分解させ、環境保全に貢献をさせるに適した栽培の機能を備えてなる包装用容器に関する。
【背景技術】
【０００２】
従来、家庭用の販売商品などを収容する目的で使用される包装容器には、収容する商品に応じて、例えば箱型やカップ型などさまざまな形があり、これらは紙製やプラスチック製の成型品が一般的である。
【先行技術文献】
【特許文献】
【０００３】
【特許文献１】実開平６−６９１７５号公報
【発明の概要】
【発明が解決しようとする課題】
【０００４】
従来の包装容器は、使用後においてその殆どをゴミとして処分しなければならず、その材質においても、プラスチックやビニール等、環境に悪いものが多く、それはやがて焼却される際に大気中に有害な物質を排出し、今日も深刻な環境汚染の大きな要因となっている。
【０００５】
また、従来の包装容器には、消費者にゴミとして捨てさせずに、何らかの再利用を促し、図らせるべく工夫や機能が全く備わっていなかった。  
【０００６】
仮に植物の栽培用として活用を図った場合でも、容器内に収容する土などの衛生面の問題や、機能面においても保水能力や排水能力といった、栽培上で容器に求める機能を有していないという問題があった。
【０００７】
また、家庭の室内での、野菜の栽培自体そのものに信頼性がなく、例えば家庭の室内において、誰もが安易にかつ、安心して栽培が行えないという問題があった。
【０００８】
更に、家庭に身近な存在である空容器の使用によるがために、家庭内における野菜の栽培を日常的に普及させることができ、それが大気中の炭素の削減にも繋がり、大気汚染の抑止にも効果が得られるという認識を有していなかった。
【０００９】
本発明は、これらの問題に鑑み、包装容器を使用後にゴミとして処分せず、自然の土に戻すことができ、環境保全に貢献できる。更に、消費者に包装容器の再利用を促し、図らせるべく野菜の栽培容器として使用もでき、また、保水性に優れ、かつ、衛生面も良く、家庭で安易に野菜の栽培が楽しめ、大気中の炭素の削減効果も期待できる包装容器の提供を目的としたものである。
【課題を解決するための手段】
【００１０】
上述の如き従来の問題を解決し、所期の目的を達成するための本発明の特徴は、環境保全のため、自然界で分解する合成樹脂にて成形され、内部に商品を収容する中空部を有し、野菜の生育のため、底板部に栽培植物が成長し自然に根を張っていく力で押して下方に撓んで開口する、片を備えた水抜穴を有する栽培の機能を備えてなる包装用容器にある。
【００１１】
また、前記包装容器において、包装容器本体内部の低空部に施蓋される同材の蓋体を有し、野菜の生育のため、該蓋体は栽培植物が成長し自然に芽が伸長する力で押して上方に撓んで開口する、片を備えた生育穴と、容器本体に注いだ水を栽培植物の発芽地に供給させるようにした切抜き注水穴を有した上記記載の包装用容器にある。
【００１２】
尚、前記包装容器において、野菜の生育のため、容器本体低空部の蓋体の内部に、野菜の種子と発芽地とを備え、発芽地の原料として、本体の中空部に収容する商品に対し、または底板部の水抜穴から容器本体の外側に対し衛生的な害が及ばぬよう、かつ、種子への保水効果が得られるよう、また、自然界で分解するよう、植物繊維と植物の葉を混合し形成することが好ましい。また、野菜の種子は、栽培がしやすい例えば大豆などを使用するのが好ましく、種子の配置としては、前記記載の蓋体の生育穴と底板部の水抜穴を、各々上下垂直に同位置に重ね、その上下各穴の中間部の発芽地内に種子を配置することで、より種子への生育効果と水はけ効果を促進させることが望ましい。
【発明の効果】
【００１３】
本発明の包装用容器は、全体が自然界で分解する合成樹脂およびに植物繊維で成形されているため、使用後において通常のようにゴミとして処分せずに、自然の土に戻すことができ、このことは、土の中に自然に分解される容器1個分と同じ体積のプラスチック容器や紙容器のゴミの処分量の削減が図れることとなり、それはやがて焼却される際に大気中へ排出される予定だった同じ量の有害物質である、例えばダイオキシン類の削減にも効果を発揮でき、環境破壊の抑止に貢献できる。
【００１４】
また、包装容器でありながら栽培容器が求める保水機能や水はけの機能を有し、かつ、衛生的な植物繊維を混合して作った発芽地を備え、更に、野菜の種子も備われているため、包装容器として使用し、商品を消費した後に、容器に水を注入するだけで、家庭内で簡単に安心して野菜の栽培と収穫ができる。そしてそれが、各家庭で普及することにより、国内産であり、自家製産でもある消費者自身の手による野菜の生産ができるようになる。
【００１５】
また同時に、通常の栽培のような負担を掛けずに、消費者は野菜を栽培し収穫する実体験ができ、自然を育てたという実感も味わえ、従来のように空き容器をゴミとして処分せずに、自然に戻してあげたという環境保護への達成感も得られ、また、このことにより、消費者に対し、空容器の再利用が、環境の美化や環境の保護に有効であるといった意識を改めて植えつけ、また、促すことができ、更に、不用品の再生によって、新しい自然環境を生産できることを啓発させる方法ともなる。
【００１６】
そして、この容器によって成長した野菜の葉が、独自の呼吸作用で吸収する分の大気中の炭素の削減の効果にも期待ができ、これらのことが、今日問題となっている地球温暖化の防止、自然環境破壊の抑止に役立つ。
【図面の簡単な説明】
【００１７】
【図１】本発明の包装用容器の使用状態の一例の断面図である。
【図２】同じく他の使用状態の一例の断面図である。
【図３】本発明における包装用容器一例の容器本体を示す断面図である。
【図４】同上の平面図である。
【図５】本発明における包装用容器一例の蓋体を示す断面図である。
【図６】同上の底面図である。
【発明を実施するための形態】
【００１８】
次に本発明の実施の形態を図面について説明する。図面は、本発明を物産品などを収容する包装容器に実施した例を示しており、図において１は包装容器本体であり、２は蓋体である。これらはいずれも自然界で分解する合成樹脂にて成形されている。この合成樹脂の成形に際しては、原料として植物繊維などを使用し例えばイネ科の葦やさとうきびなどで成形させている。また、容器本体低空部１１の蓋体２の内部に備える発芽地１４の原料としても、自然界で分解する植物繊維１７として例えば干瓢の実と、同じく自然界で分解する植物の葉１８として例えばぶな科の柏の葉などを混合し形成している。
【００１９】
容器本体１は、一例として縦、横、高さが２００、３４０、１２０（ｍｍ）程度の大きさで、中空部１０から上方開放へと商品収容部を有し、周壁部３および底板部４の肉厚が１．５ｍｍ程度に成形されている。周壁部３は、上縁側を外側に傾斜させたテ―パ状となっている。底板部４の底面には、栽培植物が徐々に成長し、自然に根を張っていく力で押して下方に撓んで開口する、片を備えた同じ径の水抜穴６、６…が、始めは閉じた状態だが押されて開口するように、少なくても３つ以上好ましくは６つ位、同心円配置に一定間隔毎に形成されている。また、その水抜穴６の外側周囲には、同心円の連続した環状凹溝５が、発芽地１４の保水用および通水用として形成されている。
【００２０】
底板部４から上方に１５ｍｍの高さの部分の周壁部３の内側には、底板部４に並行して連続した蓋体嵌合用の凹溝７が一体に形成されている。
【００２１】
蓋体２は、容器本体１の底板部４から上方に１５ｍｍの高さの部分の周壁部３の内周縁と同じ大きさ及び外形に成形され、肉厚は容器本体と同様に１．５ｍｍ程度に成形され、蓋体外側の周囲には容器本体１の凹溝７に嵌まり合う突条１２が形成されている。
【００２２】
更に、蓋体２の本体面には、栽培植物が徐々に成長し、自然に芽が伸長する力で押して上方に撓んで開口する、片を備えた同じ径の生育穴８、８…が、始めは閉じた状態だが押されて開口するように、少なくても３つ以上好ましくは６つ位、同心円配置に一定間隔毎に形成されている。また、蓋体２の表面の中心部には、容器本体に注いだ水を栽培植物の発芽地１４に供給させるために切抜き注水穴９が形成されている。
【００２３】
また、蓋体２の内部に収容される発芽地１４の原料には、保水力のある植物繊維１７として、例えば干瓢の実と、同じく保水力のある植物の葉１８として、例えばぶな科の柏の葉などが混合され、底板部４から蓋体２に至る高さ１５ｍｍの範囲に形成されている。
【実施例】
【００２４】
このように構成される包装用容器の使用に際しては、図２に示すように、容器内部の中空部から上方開放に至る部分に商品１９を収容し、消費者によってその商品１９が消費された後に、蓋体２の上部に水を注入し、切抜き注水穴９を経由して発芽地１４へ栽培に必要な水分を補給させ、種子１３を発芽させる。
【００２５】
次に、図１に示すように、発芽した芽部１５が自然に上方に成長し、上下同位置にあることによって芽部１５が伸長する力で蓋体２の生育穴８を押して、閉じた状態から上方へ撓ませて貫通させ、徐々に生育し、また同時に、発芽後に根部１６が自然に下方に成長し、上下同位置にあることによって根部１６が伸長する力で底部４の水抜穴６を押して、閉じた状態から下方へ撓ませて貫通させ、徐々に生育し、容器本体内部に水を適量注入する作業を繰り返すことによって徐々に植物の苗として、例えば野菜の大豆の苗として成長させる。
【００２６】
芽部１５を、蓋体２の上方に適度な大きさに成長させた後は、容器本体ごと家庭の庭やプランター内などの土壌の表面に置き、底板部４の水抜穴６より下方に成長している根部１６を土壌内で自然に伸長させ、土壌内の水分および養分を根部１６に吸収させることによって自然環境での生育を更に促進させる。その後、芽部１５が茎となり、葉をつけ、野菜の実が生って収穫された後に、不要となった容器本体を処分する必要はなく、そのまま土壌に残し、容器本体は約１２ヶ月の期間を経て化学分解をして有機化され、自然に土壌に還元される。
【００２７】
尚、上述の実施例では、商品１９をみやげ物などの物産用商品に実施した例を示しているが、この他、例えば弁当などの食品に実施してもよい。この場合、蓋体２の生育穴８および注水穴９の機能や、収容する食品の品質を損なわぬよう、蓋体２と食品の間に、一例
として柏の葉を１枚収容してもよい。また、上述の実施例では、種子１３を野菜の種子に実施した例を示しているが、この他、例えば花の種子や球根に実施してもよい。
【００２８】
また、上述の野菜の種子を、例えば大豆に実施した場合、容器本体に補給する水の量としては、一例として初回から一日一回の割合でペットボトルのキャップで２杯分の約１５ccを毎回注入させ、発芽まで要する期間は約５日〜１０日間、土壌に定植するまでの、本体容器内で成長させる期間は約３０日〜４５日である。尚、初めから容器を直接土壌の上に置いて栽培してもよいが、冬季による栽培などで家庭の室内の場所での使用が長い場合は、容器本体の底板部４の水抜穴６より外側に余分な水分が流出することが考えられるので、一例として家庭用品のお盆などを、受け皿代わりとして本体１の下に敷いて利用してもよい。
【符号の説明】
【００２９】
１  容器本体
２  蓋体
３  周壁部
４  底板部
５  環状凹溝
６  水抜穴
７  凹溝
８  生育穴
９  注水穴
１０  中空部
１１  低空部
１２  突条
１３  種子
１４  発芽地
１５  芽部
１６  根部
１７  植物繊維
１８  植物の葉
１９  商品
【図１】
2011019445.tif 000003
【図２】
2011019445.tif 000004
【図３】
2011019445.tif 000005
【図４】
2011019445.tif 000006
【図５】
2011019445.tif 000007
【図６】
2011019445.tif 000008